(57)【要約】【課題】拡大表示を行う際の画像劣化を抑制しつつ、当該拡大表示にかかる時間を抑えることができる画像処理装置を提供する。【解決手段】  元画像を保存する際に、当該元画像を縮小したプレビュー画像を作成し、作成したプレビュー画像と元画像を対応付けて保存しておく。当該プレビュー画像をプレビュー表示中に、当該プレビュー画像を拡大表示させる場合、拡大率が所定値未満であれば、拡大表示する画像をプレビュー画像から作成して表示部に表示させ、拡大率が所定値以上であれば、拡大表示する画像を元画像から作成して表示部に表示させる。【選択図】図６
2014229949.tif 000002
【特許請求の範囲】
【請求項１】
元画像を記憶する記憶部と、
前記元画像を縮小したプレビュー画像を作成するプレビュー画像作成部と、
前記プレビュー画像作成部によって作成された前記プレビュー画像を記憶する第２記憶部と、
前記第２記憶部に記憶されている前記プレビュー画像を表示する表示部と、
前記表示部に表示されている前記プレビュー画像を拡大表示させる指示を受け付ける指示部と、
前記指示部で受け付けた前記指示の示す拡大率が所定値以上の場合は前記拡大表示する画像を前記元画像から生成して前記表示部に表示させ、前記所定値未満の場合は前記拡大表示する画像を前記プレビュー画像から生成して前記表示部に表示させる制御部と、
を備える
ことを特徴とする画像処理装置。
【請求項２】
前記制御部は、前記拡大表示する画像を前記元画像から生成する場合、前記元画像において、前記拡大表示にて前記表示部に表示される部分のみを、前記記憶部から読み出して当該生成を行う
ことを特徴とする請求項１に記載の画像処理装置。
【請求項３】
前記プレビュー画像作成部は、前記元画像を１/ｎ（ｎは任意の正の実数）に縮小することで前記プレビュー画像を作成し、
前記所定値は、前記ｎを所定の補正値で補正した値である
ことを特徴とする請求項１または２に記載の画像処理装置。
【請求項４】
前記制御部は、前記拡大表示において画質を優先するよう設定されている場合は、前記補正値を正の値に、表示速度を優先するよう設定されている場合は前記補正値を負の値に設定する
ことを特徴とする請求項３に記載の画像処理装置。
【発明の詳細な説明】
【技術分野】
【０００１】
本発明は、画像のプレビュー表示を高速に行う画像処理装置に関する。
【背景技術】
【０００２】
画像処理装置にて画像の確認、加工、編集等を行う際には、オリジナルの画像からプレビュー画像を作成して表示し、ユーザがこのプレビュー画像に対して行った加工（編集）内容を、オリジナルの画像に反映させることが一般的に広く普及している。
【０００３】
プレビュー画像は、オリジナルの画像を縮小した画像なので、データサイズが小さく、読み出しにかかる時間が短い。また、画像編集に使用するメモリの容量が小さい装置や、画像処理のパフォーマンスが低い装置でも、編集が可能である。
【０００４】
プレビュー画像を使用する例としては、たとえば特許文献１には、デジタルカメラで撮影して得た画像から、デジタルカメラの小さな表示部に表示するための第１のプレビュー画像と、第１のプレビュー画像より大きな第２のプレビュー画像を作成しておき、当該表示部に表示中の第１のプレビュー画像を拡大表示する際に、第２のプレビュー画像を拡大して表示することで、表示部に拡大後の画面が表示されるまでの時間を短縮する技術が開示されている（特許文献１参照）。
【先行技術文献】
【特許文献】
【０００５】
【特許文献１】特開２００４−１２０００６号公報
【発明の概要】
【発明が解決しようとする課題】
【０００６】
ところで、プレビュー画像の細部を確認、加工、編集するためにプレビュー画像を拡大して表示する場合、プレビュー画像はオリジナルの画像を縮小して作成された画像なので、拡大率が大きいほど画像劣化が現れてしまう。
【０００７】
プレビュー画像を拡大表示する際に、プレビュー画像の代わりにオリジナルの画像を使用して拡大表示させれば、前述の画像劣化を抑えることはできる。しかし、オリジナルの画像はデータサイズが大きく、表示処理に時間がかかる。よって、拡大率が小さい場合は、少ない画像劣化を抑えるために、表示処理に長い時間をかけることになる。
【０００８】
本発明は、上記の問題を解決しようとするものであり、拡大表示を行う際に発生する画像劣化を抑制しつつ、当該画像の拡大表示処理にかかる時間を抑えることができる画像処理装置を提供する事を目的としている。
【課題を解決するための手段】
【０００９】
かかる目的を達成するための本発明の要旨とするところは、次の各項の発明に存する。
【００１０】
［１］元画像を記憶する記憶部と、
前記元画像を縮小したプレビュー画像を作成するプレビュー画像作成部と、
前記プレビュー画像作成部によって作成された前記プレビュー画像を記憶する第２記憶部と、
前記第２記憶部に記憶されている前記プレビュー画像を表示する表示部と、
前記表示部に表示されている前記プレビュー画像を拡大表示させる指示を受け付ける指示部と、
前記指示部で受け付けた前記指示の示す拡大率が所定値以上の場合は前記拡大表示する画像を前記元画像から生成して前記表示部に表示させ、前記所定値未満の場合は前記拡大表示する画像を前記プレビュー画像から生成して前記表示部に表示させる制御部と、
を備える
ことを特徴とする画像処理装置。
【００１１】
上記発明では、元画像を保存する際に、当該元画像を縮小したプレビュー画像を作成し、両画像を対応付けて保存しておく。当該プレビュー画像をプレビュー表示中に、当該プレビュー画像を拡大表示させる場合、拡大率が所定値未満であれば、拡大表示する画像をプレビュー画像から作成して表示部に表示させる。拡大率が所定値以上であれば、拡大表示する画像を元画像から作成して表示部に表示させる。これにより、拡大表示を行う際に発生する画像劣化を抑制しつつ、当該拡大表示にかかる時間を抑えることができる。
【００１２】
［２］前記制御部は、前記拡大表示する画像を前記元画像から生成する場合、前記元画像において、前記拡大表示にて前記表示部に表示される部分のみを、前記記憶部から読み出して当該生成を行う
ことを特徴とする［１］に記載の画像処理装置。
【００１３】
上記発明では、拡大表示する画像を元画像から生成する場合、元画像の全体を読み出すのではなく、元画像において拡大表示にて表示部に「表示される部分のみを読み出す。
【００１４】
［３］前記プレビュー画像作成部は、前記元画像を１/ｎ（ｎは任意の正の実数）に縮小することで前記プレビュー画像を作成し、
前記所定値は、前記ｎを所定の補正値で補正した値である
ことを特徴とする［１］または［２］に記載の画像処理装置。
【００１５】
上記発明では、元画像を１/ｎ（ｎは任意の正の実数）に縮小することでプレビュー画像を作成する。また、所定値は、ｎを所定の補正値で補正した値である。補正値は、補正後のｎの値が正の値になるようにして決定する。
【００１６】
［４］前記制御部は、前記拡大表示において画質を優先するよう設定されている場合は、前記補正値を正の値に、表示速度を優先するよう設定されている場合は前記補正値を負の値に設定する
ことを特徴とする［３］に記載の画像処理装置。
【００１７】
上記発明では、拡大表示において画質を優先するよう設定されている場合は、補正値を正の値に、表示速度を優先するよう設定されている場合は補正値を負の値に設定する。ユーザの希望に合わせて拡大表示が行われる。
【発明の効果】
【００１８】
本発明に係る操作表示装置によれば、表示部に拡大表示される画像の画質を一定以上に保ちつつも、当該画像の拡大表示処理にかかる時間をなるべく減らすことができる。
【図面の簡単な説明】
【００１９】
【図１】本発明の実施の形態に係る画像形成装置の概略構成を示すブロック図である。
【図２】オリジナル画像とプレビュー画像の一例を示す図である。
【図３】プレビュー表示中の画像を拡大表示する様子を示す図である。
【図４】拡大表示を行う前に拡大率を決定する画面の一例を示す図である。
【図５】オリジナル画像の保存に際して、プレビュー画像を作成する処理を示す流れ図である。
【図６】プレビュー表示を開始してから、拡大表示を終了するまでの処理を示す流れ図である。
【発明を実施するための形態】
【００２０】
以下、図面に基づき本発明の実施の形態を説明する。
【００２１】
図１は、本発明の実施の形態に係る画像処理装置としての機能を果たす画像形成装置１０の概略構成を示す。画像形成装置１０は、原稿を光学的に読み取ってその複製画像を記録紙に印刷するコピージョブ、読み取った原稿の画像データをファイルにして保存したり外部装置へ送信したりするスキャンジョブ、外部の端末から送出されたデータに係る画像を記録紙に印刷して出力するプリントジョブなどのジョブを実行する機能を備えた、所謂、複合機である。
【００２２】
画像形成装置１０は、画像データを保存する場合に、当該画像データの示す画像（以後、オリジナル画像と呼ぶ）を縮小したプレビュー画像を作成し、オリジナル画像と対応付けて共に保存する。たとえば、スキャンジョブで読み取った原稿の画像データ等を保存する際には、当該画像データからプレビュー画像を作成し、読み取って得た画像データと対応付けて共に保存する。オリジナル画像は、請求項における元画像に該当する。
【００２３】
プレビュー画像は、オリジナル画像を縮小した（間引いた）画像なので、オリジナル画像よりもデータサイズが小さく、よって、読み出しや編集処理等にかかる時間も短い。画像形成装置１０は、オリジナル画像をプレビュー表示する場合、オリジナル画像に代えてプレビュー画像をプレビュー表示する。
【００２４】
画像形成装置１０は、表示部３１にプレビュー表示しているプレビュー画像を拡大表示する指示を受けた場合、その拡大率が所定値未満の場合は拡大表示する画像をプレビュー画像から生成（作成）して表示部３１に表示させる。拡大率が所定値以上の場合は拡大表示する画像をオリジナル画像から生成（作成）して表示部３１に表示させる。これにより、拡大表示を行う際に発生する画像劣化を抑制しつつ、拡大表示にかかる時間を抑えることができる。
【００２５】
画像形成装置１０は、当該画像形成装置１０の動作を統括的に制御するＣＰＵ(Central Processing Unit)１１を有している。ＣＰＵ１１にはバスを通じてＲＯＭ(Read Only Memory)１２と、ＲＡＭ(Random Access Memory)１３と、不揮発メモリ１４と、ハードディスク装置１５と、画像処理部１６と、スキャナ部１７と、プリンタ部１８と、ファクシミリ通信部１９と、ネットワーク通信部２０と、操作パネル３０とを備えている。
【００２６】
ＣＰＵ１１は、ＯＳ（Operating System）プログラムをベースとし、その上で、ミドルウェアやアプリケーションプログラムなどを実行する。ＲＯＭ１２には、各種のプログラムが格納されており、これらのプログラムに従ってＣＰＵ１１が各種処理を実行することで画像形成装置１０の各機能が実現される。また、ＲＯＭ１２には、画像形成装置１０の一連の制御をＣＰＵ１１が実行するためのプログラムが格納されている。
【００２７】
ＲＡＭ１３は、ＣＰＵ１１がプログラムに基づいて処理を実行する際に各種のデータを一時的に格納するワークメモリや画像データを格納する画像メモリなどとして使用される。
【００２８】
不揮発メモリ１４は、電源をオフにしても記憶内容が破壊されないメモリ（フラッシュメモリ）であり、各種設定情報の保存などに使用される。ハードディスク装置１５は、大容量の不揮発の記憶装置であり、ＯＳプログラムや各種アプリケーションプログラム（ソフトウェア）、印刷データや画像データなどが保存される。
【００２９】
画像処理部１６は、画像の拡大縮小、回転などの処理のほか、印刷データをイメージデータに変換するラスタライズ処理、画像データの圧縮、伸張処理などを行う。
【００３０】
スキャナ部１７は、原稿を光学的に読み取って画像データを取得する機能を果たす。スキャナ部１７は、例えば、原稿に光を照射する光源と、その反射光を受けて原稿を幅方向に１ライン分読み取るラインイメージセンサと、ライン単位の読み取り位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００３１】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００３２】
ファクシミリ通信部１９は、ファクシミリ機能を備えた外部装置と公衆回線を通じて画像データを送受信する機能を果たす。
【００３３】
ネットワーク通信部２０は、ＬＡＮ（Local Area Network）などのネットワークを通じて外部の装置との間でデータを通信する機能を果たす。
【００３４】
操作パネル３０は、表示部３１と操作部３２とを備えている。このうち操作部３２は、スタートボタンやテンキーなどのスイッチ部３３とタッチパネル部３４とを備えている。
【００３５】
表示部３１は、液晶ディスプレイ（ＬＣＤ…Liquid Crystal Display）などで構成され、各種の操作画面、設定画面などを表示する機能を果たす。また、表示部３１は表示メモリを備えており、表示部３１は当該表示メモリに格納された画像を表示する。操作パネル３０の表示部３１が表示する表示内容の制御（表示メモリに格納する画像（表示画像）の作成処理等）、操作パネル３０による操作の受け付けに関する制御はＣＰＵ１１が行う。
【００３６】
タッチパネル部３４は、表示部３１上に設けられている。タッチパネル部３４は、タッチペンや指などで押下された表示部３１上のタッチ位置（座標位置）や、フリック操作やドラッグ操作等を検出する。また、ＣＰＵ１１は、継続的に検出されるタッチ位置の変化（操作情報）から、ユーザによる手書き入力等を認識する。
【００３７】
図２は、オリジナル画像５０とオリジナル画像５０から作成されたプレビュー画像５１の例を示す。オリジナル画像５０は、スキャンジョブにより、原稿を光学的に読み取って得た画像である。オリジナル画像５０は、そのままでは表示部３１に全体を表示しきれないサイズの画像である。
【００３８】
オリジナル画像５０の全体を一度に表示部３１に表示する（プレビュー表示する）場合は、オリジナル画像５０を読み出して縮小する必要がある。しかし、オリジナル画像５０はデータサイズが大きいので、オリジナル画像５０を読み出して縮小する方法でプレビュー表示を行うには時間がかかる。
【００３９】
そこで、画像形成装置１０は、前述のプレビュー表示にかかる時間を短縮する為に、表示部３１に全体を表示可能なサイズまでオリジナル画像５０を縮小（圧縮）した画像を予め作成しておく。この作成した画像がプレビュー画像５１である。本発明の実施の形態では、オリジナル画像５０を１/ｎに縮小した画像をプレビュー画像５１とする。ｎの数値はユーザが変更可能であってもよいし、当該プレビュー画像が全体を表示部３１に表示可能なサイズになるよう自動的に決定してもよい。画像形成装置１０はオリジナル画像５０をプレビュー表示する場合は、プレビュー画像５１を表示部３１に表示する。
【００４０】
プレビュー画像５１は、オリジナル画像５０に比べてデータサイズが小さいので、高速に読み出すことができる。また、すでに縮小された画像なので、縮小処理が省略される。よってプレビュー画像５１は、オリジナル画像５０よりも少ない時間でプレビュー表示される。ユーザは表示部３１にプレビュー表示されたプレビュー画像５１を視認することによって、オリジナル画像５０の全体像を把握することができる。
【００４１】
また、画像形成装置１０は、オリジナル画像５０の編集を行う場合、表示部３１に当該オリジナル画像５０に対応付けられているプレビュー画像５１をプレビュー表示し、このプレビュー画像５１に対する編集操作を受け付ける。その後、当該編集が完了したら、その編集内容を、オリジナル画像５０に反映させる。これにより、オリジナル画像５０を直接編集する場合に比べて、当該編集操作を受け付けている際中の表示処理や画像編集処理等の負担を減らすことができる。
【００４２】
画像形成装置１０は、プレビュー表示中に拡大表示指示を受け付けた場合、表示中の画像を拡大表示する。当該指示は操作部３２やネットワーク通信部２０が受け付ける。図３は、プレビュー表示中のプレビュー画像５１を拡大表示する様子を示す。図３（Ａ）は、拡大前に表示部３１に表示される画像を、図３（Ｂ）は拡大後に表示部３１に表示される画像を示す。拡大表示を行う場合、拡大表示の対象となる画像の一部が拡大されて表示部３１に表示される。図３では、プレビュー画像５１の右下部分が拡大され、表示部３１に表示されている。
【００４３】
なお、プレビュー画像５１は、オリジナル画像５０を縮小した画像なので、拡大時には画像劣化が発生する。たとえば、プレビュー画像５１をオリジナル画像５０と同じサイズに拡大した場合（ｎ倍に拡大した場合）、拡大後のプレビュー画像５１の方がオリジナル画像５０に比べて、画質が粗くなる。
【００４４】
そこで、画像形成装置１０は、一定以上の画質を保つためプレビュー画像５１の拡大表示時に、拡大率（ｍ）が所定値（ｄ）以上の場合は、拡大表示する画像をオリジナル画像５０から生成して表示部３１に表示させる。拡大率（ｍ）が所定値（ｄ）未満の場合は、拡大表示する画像をプレビュー画像５１から生成して表示部３１に表示させる。
【００４５】
これにより、拡大表示を行う場合でも画質の劣化が抑制される。図３では、プレビュー画像５１の右下部分を拡大表示しようとしているので、オリジナル画像５０の同じ部分（右下部分）を読み出し、拡大表示を行っている。なお、オリジナル画像５０の一部を読み出してきて、拡大表示する画像を生成（作成）するので、全体を読み出す場合に比べて拡大表示にかかる時間は短い。
【００４６】
所定値（ｄ）の値はｎ＋Ｘ（補正値）とする。補正値Ｘの値はユーザによって設定可能であり、Ｘの値を正（Ｘ＞０）に設定した場合は拡大表示において画質が優先され、Ｘの値を負（Ｘ＜０）に設定した場合は拡大表示において表示速度が優先される。Ｘの値は、所定値ｄの値が負の値にならない範囲で決定される（（Ｘ≧−ｎ）となる）。
【００４７】
なお、Ｘが負の値であって、所定値ｄ≦拡大率ｍ＜ｎの場合は、拡大表示する画像をオリジナル画像５０から作成する際に、オリジナル画像５０を縮小することになる。
【００４８】
拡大率ｍがｎ未満の場合、オリジナル画像５０から表示部３１に表示する画像（表示画像）を作成すると、オリジナル画像５０を縮小することになるので、オリジナル画像５０のうち表示部３１に表示される部分だけを読み出すとしても、表示用画像よりも大きいサイズのオリジナル画像５０を読み出さなければならない。
【００４９】
プレビュー画像５１を拡大して表示部３１に表示する画像（表示画像）画像を作成する場合に扱うデータの最大サイズは、拡大後の画像のデータサイズ、すなわち、表示用画像のデータサイズである。よって、オリジナル画像５０から表示画像を作成すると、プレビュー画像５１を拡大して表示画像を作成する場合に比べて、扱うデータの最大サイズが大きくなり、処理時間が長くかかる。
【００５０】
拡大率ｍがｎの場合、オリジナル画像５０から表示画像を作成すると、オリジナル画像５０を拡大縮小することなくそのまま表示に使用できる。つまり、ハードディスク装置１５から読み出すオリジナル画像５０のデータサイズは、表示用画像のデータサイズと等しくなる。この場合、プレビュー画像５１を拡大して表示用画像を作成しても、オリジナル画像５０から表示用画像を作成しても、扱うデータの最大サイズは等しくなる。
【００５１】
拡大率ｍがｎより大きい場合は、オリジナル画像５０から表示画像を作成すると、オリジナル画像５０を拡大することになる。よって、ハードディスク装置１５から読み出すオリジナル画像５０のデータサイズは、表示用画像のデータサイズより小さくなる。この場合、プレビュー画像５１を拡大して表示用画像を作成しても、オリジナル画像５０を拡大して表示用画像を作成しても、扱うデータの最大サイズは、表示部３１へ転送する際のデータサイズ（表示画像のデータサイズ）なので、等しくなる。
【００５２】
したがって、拡大率がｎ以上の場合は、プレビュー画像５１から表示用画像を作成する場合に比べて、オリジナル画像５０から表示用画像を作成することで画質が向上し、かつ、処理時間は同程度になる。
【００５３】
なお、オリジナル画像５０を縮小して表示画像を作成する場合は、プレビュー画像５１から表示画像を作成する場合に比べて、表示画像が表示されるまでに時間がかかるので、本実施の形態では、所定値ｄ＝ｎ（補正値Ｘ＝０）とし、オリジナル画像５０から表示画像を作成する場合は、拡大縮小をすることなくそのまま表示に使用するか、オリジナル画像５０を拡大して表示画像を作成するものとする。
【００５４】
図４は、プレビュー表示中のプレビュー画像５１を拡大表示させる場合に、その拡大率を決定するための画面の一例である拡大率決定画面６０を示す。拡大率決定画面６０は、プレビュー表示を行っている際に拡大表示を行う指示を操作部３２が受けた場合に、表示される画面である。ユーザはテンキーを使用して拡大率を入力後（設定後）、拡大表示を行う場合は決定釦６１を、拡大表示をキャンセルする場合はキャンセル釦６２を押下する。
【００５５】
画像形成装置１０は、決定釦６１が押下されたら設定された拡大率で拡大表示を行うための処理を開始する。拡大率が所定値未満の場合は、プレビュー画像５１を、当該拡大率で拡大して作成した表示画像を表示する。拡大率が所定値以上の場合は、オリジナル画像５０を設定された拡大率/ｎ倍に拡大して作成した表示画像を表示する。
【００５６】
キャンセル釦６２が押下されたら、拡大表示を行わず、プレビュー画像５１をプレビュー表示していた画面に戻る。
【００５７】
図５は、画像形成装置１０がプレビュー画像を作成する処理を示す。まず、オリジナル画像が入力される（ステップＳ１０１）。当該オリジナル画像は、スキャナ部１７がスキャンして得た画像でもよいし、外部の装置から受信した画像データでもよい。
【００５８】
オリジナル画像が入力されたら、そのオリジナル画像を１/ｎに縮小したプレビュー画像を作成する（ステップＳ１０２）。
【００５９】
プレビュー画像が作成されたら、オリジナル画像と対応付けし、プレビュー画像とオリジナル画像を保存して（ステップＳ１０３）、処理を終了する。たとえば、両画像のファイル名等を対応付けして保存する。
【００６０】
図６は、プレビュー表示中のプレビュー画像を拡大表示する場合の処理を示す。まず、画像形成装置１０は、プレビュー表示する画像の選択を受けたら（ステップＳ２０１）、拡大表示する指示を受けていなければ（ステップＳ２０２；Ｎｏ）、プレビュー画像を読み出し（ステップＳ２０３）、読み出したプレビュー画像をプレビュー表示する（ステップＳ２０８）。
【００６１】
プレビュー表示を終了する指示を受けるまでは（ステップＳ２０９；Ｎｏ）、ステップＳ２０２に戻って処理を継続する。拡大表示を行う指示を受け付けたら（ステップＳ２０２；Ｙｅｓ）、拡大率（ｍ）が所定値（ｎ倍）以上であれば（ステップＳ２０４；Ｙｅｓ）、オリジナル画像において、拡大表示の対象となる部分を読み出し、拡大表示する画像を作成し（ステップＳ２０５）、ステップＳ２０８に進む。ステップＳ２０５からステップＳ２０８に進んだ場合、ステップＳ２０５にて作成した画像をプレビュー表示する。
【００６２】
拡大率（ｍ）が所定値（ｎ倍）未満であれば（ステップＳ２０４；Ｎｏ）、プレビュー画像を読み出して（ステップＳ２０６）、その読み出したプレビュー画像の一部を抽出して拡大した画像を作成し（ステップＳ２０７）、ステップＳ２０８に進む。ステップＳ２０７からステップＳ２０８に進んだ場合、ステップＳ２０７にて作成した画像（拡大された部分）をプレビュー表示する。なお、ステップＳ２０６のプレビュー画像の読み出しにおいて拡大表示の対象となる部分のみを読み出してもよい。
【００６３】
プレビュー表示を終了する指示を受けたら（ステップＳ２０９；Ｙｅｓ）、プレビュー表示を終了し（ステップＳ２１０）、処理を終了する。
【００６４】
本処理では、初回のプレビュー表示時はステップＳ２０２からステップＳ２０３に進む。ステップＳ２０２での拡大表示指示の受け付けは、プレビュー表示を行っている際に受け付ける。
【００６５】
このように、画像形成装置１０は、オリジナル画像を保存する際には、当該オリジナル画像を縮小したプレビュー画像を作成し、作成されたプレビュー画像を当該オリジナル画像に対応付けて保存する。また、プレビュー画像をプレビュー表示中に、拡大表示を行う場合、拡大率が所定値未満であれば、拡大表示する画像をプレビュー画像から生成して表示部３１に表示させる。拡大率が所定値以上であれば、拡大表示する画像をオリジナル画像から生成して表示部３１に表示させる。これにより、拡大表示を行う際に発生する画像劣化を抑制しつつ、拡大表示にかかる時間を抑えることができる。
【００６６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００６７】
本発明の実施の形態では画像形成装置１０を例に説明したが、ＣＰＵ１１と、ＲＯＭ１２と、ＲＡＭ１３と、ハードディスク装置１５と、表示部３１と、操作部３２を抜き出して構成された画像処理装置であってもよい。
【００６８】
本発明の実施の形態では、拡大表示を行う場合のみについて説明したが、拡大表示中に、全体の中で拡大表示するエリアの変更指示を受けた場合も、当該拡大率が所定値以上であれば、変更後のエリアの画像をオリジナル画像から作成し表示部３１に表示させる。所定値未満であれば、変更後のエリアの画像をプレビュー画像から作成し表示部３１に表示させる。
【符号の説明】
【００６９】
１０…画像形成装置
１１…ＣＰＵ
１２…ＲＯＭ
１３…ＲＡＭ
１４…不揮発メモリ
１５…ハードディスク装置
１６…画像処理部
１７…スキャナ部
１８…プリンタ部
１９…ファクシミリ通信部
２０…ネットワーク通信部
３０…操作パネル
３１…表示部
３２…操作部
３３…スイッチ部
３４…タッチパネル部
５０…オリジナル画像
５１…プレビュー画像
６０…拡大率決定画面
６１…決定釦
６２…キャンセル釦
【図１】
2014229949.tif 000003
【図２】
2014229949.tif 000004
【図３】
2014229949.tif 000005
【図４】
2014229949.tif 000006
【図５】
2014229949.tif 000007
【図６】
2014229949.tif 000008